【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
所定の払出条件が成立したことに基づいて景品として遊技媒体を払い出す払出手段と、所定の演出条件が成立したことに基づいて所定の演出を実行する演出手段と、を備えた遊技機において、
遊技の進行を制御する遊技制御マイクロコンピュータと、
前記遊技制御マイクロコンピュータから送信される制御コマンドに基づいて、前記払出手段による遊技媒体の払い出し動作を制御する払出制御マイクロコンピュータと、
前記払出手段における１の遊技媒体の払い出し動作を検出する払出動作検出手段と、
前記払出手段から払い出された遊技媒体を検出する払出遊技媒体検出手段と、
前記払出手段による遊技媒体の払い出し動作を停止すべき払出停止条件が成立したか否かを検出する払出停止条件成立検出手段と、
前記遊技制御マイクロコンピュータから送信される制御コマンドに基づいて、前記演出手段による演出を制御する演出制御マイクロコンピュータと、
を備え、
前記遊技制御マイクロコンピュータは、
前記所定の払出条件が成立したことに基づいて、前記払出手段から景品として払い出される遊技媒体の個数を特定可能な払出制御コマンドを前記制御コマンドとして前記払出制御マイクロコンピュータに送信する払出制御コマンド送信手段を含み、
前記払出制御マイクロコンピュータは、
前記払出制御コマンド送信手段が送信した払出制御コマンドを受信する払出制御コマンド受信手段と、
前記払出制御コマンド受信手段が受信した払出制御コマンドで特定される遊技媒体の個数の総和を示す総景品個数データを記憶する総景品個数データ記憶手段と、
前記払出手段により払い出される遊技媒体の個数に基づく払出動作量データを記憶する払出動作量データ記憶手段と、
前記総景品個数データ記憶手段に記憶されている総景品個数データを前記払出動作量データとして前記払出動作量データ記憶手段に設定する払出動作量データ設定手段と、
前記払出動作量データ設定手段により前記払出動作量データが設定されたときに、前記払出手段を制御して、遊技媒体の払い出し動作を開始させる払出動作開始制御手段と、
前記払出動作検出手段による払い出し動作の検出に応じて、前記払出動作量データ記憶手段に記憶されている前記払出動作量データの値を減算する払出動作量データ減算手段と、
前記払出動作量データ減算手段により減算された前記払出動作量データの値が所定の終了値と合致するか否かを判別する払出動作量データ判別手段と、
前記払出動作量データ判別手段により前記払出動作量データの値が前記所定の終了値と合致すると判別されたときに、前記払出手段を制御して、遊技媒体の払い出し動作を停止させる払出動作停止制御手段と、
前記払出停止条件成立検出手段により払出停止条件の成立が検出されたときに、遊技媒体の払い出し動作を停止させる払出停止条件成立停止制御手段と、
前記払出停止条件成立検出手段により払出停止条件の成立が検出されたときに、払出停止信号を前記遊技制御マイクロコンピュータに送信する払出停止信号送信手段と、
前記払出動作開始制御手段による払い出し動作の開始から前記払出動作停止制御手段による払い出し動作の停止までの間に前記払出制御コマンド受信手段が払出制御コマンドを受信したことに応じて、該払出制御コマンドを受信したことを示す受信フラグをオンにセットする受信フラグセット手段と、
前記受信フラグセット手段により前記受信フラグがオンにセットされたか否かを判定することにより、前記払出手段による遊技媒体の払い出し動作中に前記払出制御コマンドを受信したか否かを判別する受信判別手段と、
前記受信判別手段により前記払出制御コマンド受信手段が払出制御コマンドを受信したと判別されたときに、該払出制御コマンドで特定される遊技媒体の個数に応じて、前記払出動作量データ記憶手段に記憶されている前記払出動作量データの値を更新する払出動作量データ更新手段と、
を含み、
前記遊技制御マイクロコンピュータは、更に、
前記払出停止信号送信手段から送信される払出停止信号を受信する払出停止信号受信手段と、
前記払出停止信号受信手段が受信した払出停止信号に基づいて、前記演出手段により遊技媒体の払出停止を報知することを指令する演出制御コマンドを前記制御コマンドとして前記演出制御マイクロコンピュータに送信する演出制御コマンド送信手段と、
を含み、
前記演出制御マイクロコンピュータは、
前記演出制御コマンド送信手段が送信した演出制御コマンドを受信する演出制御コマンド受信手段と、
前記演出制御コマンド受信手段が受信した演出制御コマンドに基づいて、前記演出手段を制御して、前記払出手段による遊技媒体の払い出し動作が停止していることを報知する演出を実行させる払出停止報知演出制御手段と、を含む、
ことを特徴とする遊技機。
【請求項２】
前記払出制御マイクロコンピュータは、
前記払出動作開始制御手段による払い出し動作の開始から前記払出動作停止制御手段による払い出し動作の停止までの間に前記払出制御コマンド受信手段が受信した払出制御コマンドで特定される遊技媒体の個数を示す景品個数データを記憶する払出中景品個数データ記憶手段を含み、
前記払出動作量データ更新手段は、前記払出中景品個数データ記憶手段に記憶されている景品個数データの値を、前記払出動作量データ記憶手段に記憶されている前記払出動作量データの値に加算することによって、該払出動作量データの値を更新する、
ことを特徴とする請求項１に記載の遊技機。
【請求項３】
前記払出制御マイクロコンピュータは、
前記払出動作開始制御手段による払い出し動作の開始から前記払出動作停止制御手段による払い出し動作の停止までの間に前記払出制御コマンド受信手段が払出制御コマンドを再度受信したときに、該受信した払出制御コマンドで特定される遊技媒体の個数を、前記払出中景品個数データ記憶手段に記憶されている景品個数データの値に加算し、景品個数データの値を更新する払出中景品個数データ更新手段を含む、
ことを特徴とする請求項２に記載の遊技機。
【請求項４】
前記受信フラグセット手段は、前記払出停止条件成立停止制御手段による払い出し動作停止中においても、前記払出制御コマンド受信手段が払出制御コマンドを受信したことに応じて、該払出制御コマンドを受信したことを示す受信フラグをオンにセットする条件成立受信フラグセット手段を含み、
前記払出中景品個数データ記憶手段は、前記払出停止条件成立停止制御手段による払い出し動作停止中においても、前記払出制御コマンド受信手段が受信した払出制御コマンドで特定される遊技媒体の個数を示す景品個数データを記憶する条件成立払出中景品個数データ記憶手段を含み、
前記払出中景品個数データ更新手段は、前記払出停止条件成立停止制御手段による払い出し動作停止中においても、前記払出制御コマンド受信手段が払出制御コマンドを再度受信したときに、該受信した払出制御コマンドで特定される遊技媒体の個数を、前記払出中景品個数データ記憶手段に記憶されている景品個数データの値に加算し、景品個数データの値を更新する条件成立払出中景品個数データ更新手段を含む、
ことを特徴とする請求項３に記載の遊技機。
【請求項５】
前記払出制御マイクロコンピュータは、
前記払出動作量データ更新手段により景品個数データの値が前記払出動作量データの値に加算されたときに、前記払出動作量データの値に加算された景品個数データの値を前記払出中景品個数データ記憶手段から減算する景品個数減算手段を含む、
ことを特徴とする請求項２乃至４のいずれか１項に記載の遊技機。
【請求項６】
前記払出制御マイクロコンピュータは、
前記払出動作量データ更新手段により景品個数データの値が前記払出動作量データの値に加算されたときに、前記受信フラグをオフする受信フラグオフ手段を含む、
ことを特徴とする請求項２乃至５のいずれか１項に記載の遊技機。
【請求項７】
前記払出制御マイクロコンピュータは、
前記払出制御マイクロコンピュータが受信した制御コマンドが前記払出制御コマンドか否かを判別する制御コマンド判別手段を含み、
前記受信フラグセット手段は、前記制御コマンド判別手段により制御コマンドが払出制御コマンドであると判別されたときに、前記受信フラグをオンにセットする、
ことを特徴とする請求項１乃至６のいずれか１項に記載の遊技機。
【請求項８】
前記払出手段は、所定の貸出要求に応じて遊技者に貸し出すための遊技媒体を払い出す機能を有し、
前記払出制御マイクロコンピュータは、
前記払出制御コマンド受信手段が受信した払出制御コマンドで特定される遊技媒体の個数を、前記総景品個数データ記憶手段に記憶されている総景品個数データの値に加算することによって、該総景品個数データの値を更新する総景品個数データ更新手段と、
前記払出遊技媒体検出手段による遊技媒体の検出に応じて、該検出された遊技媒体が景品として払い出されたものであるか遊技者に貸し出すために払い出されたものであるかを判別する遊技媒体判別手段と、
前記遊技媒体判別手段により遊技媒体が景品として払い出されたものであると判別されたときに、前記総景品個数データ記憶手段に記憶されている総景品個数データの値を減算する総景品個数データ減算手段と、
前記払出動作停止制御手段が遊技媒体の払い出し動作を停止させたことに基づいて、前記総景品個数データ減算手段により減算された総景品個数データの値が前記所定の終了値と合致するか否かを判別する総景品個数データ判別手段と、
前記総景品個数データ判別手段により総景品個数データの値が前記所定の終了値と合致しないと判別されたときに、該総景品個数データを前記払出動作量データとして前記払出動作量データ記憶手段に設定する払出動作量データ再設定手段と、
を含む、
ことを特徴とする請求項１乃至７のいずれか１項に記載の遊技機。
【手続補正２】
【補正対象書類名】明細書
【補正対象項目名】０００９
【補正方法】変更
【補正の内容】
【０００９】
上記目的を達成するため、本願の請求項１に記載の遊技機は、
所定の払出条件（例えば遊技球の入賞領域への入賞）が成立したことに基づいて景品として遊技媒体（例えば賞球）を払い出す払出手段（例えば払出装置５０）と、所定の演出条件（例えば遊技球の普通可変入賞球装置６への入賞）が成立したことに基づいて所定の演出（例えば特別図柄の可変表示）を実行する演出手段（例えば可変表示装置４）と、を備えた遊技機（例えばパチンコ遊技機１）において、
遊技の進行を制御する遊技制御マイクロコンピュータ（例えば主基板１１に搭載された遊技制御用マイクロコンピュータ１１０）と、
前記遊技制御マイクロコンピュータから送信される制御コマンドに基づいて、前記払出手段による遊技媒体の払い出し動作を制御する払出制御マイクロコンピュータ（例えば払出制御基板１５に搭載された払出制御用マイクロコンピュータ１５０）と、
前記払出手段における１の遊技媒体の払い出し動作を検出する払出動作検出手段（例えば払出モータ位置センサ７１）と、
前記払出手段から払い出された遊技媒体を検出する払出遊技媒体検出手段（例えば払出カウントスイッチ７２）と、
前記払出手段による遊技媒体の払い出し動作を停止すべき払出停止条件（満タン状態又は球切状態）が成立したか否かを検出する払出停止条件成立検出手段（例えば満タンスイッチ２６又は球切スイッチ２７）と、
前記遊技制御マイクロコンピュータから送信される制御コマンドに基づいて、前記演出手段による演出を制御する演出制御マイクロコンピュータ（例えば演出制御基板１２に搭載された演出制御用マイクロコンピュータ１２０）と、
を備え、
前記遊技制御マイクロコンピュータは、
前記所定の払出条件が成立したことに基づいて、前記払出手段から景品として払い出される遊技媒体の個数を特定可能な払出制御コマンド（例えば賞球個数を指定する払出制御コマンドＦ０ＸＸ）を前記制御コマンドとして前記払出制御マイクロコンピュータに送信する払出制御コマンド送信手段（例えばＣＰＵ１１３がステップＳ１５４のコマンドセット処理にてステップＳ２３４及びＳ２３９のコマンド送信処理を実行する部分）を含み、
前記払出制御マイクロコンピュータは、
前記払出制御コマンド送信手段が送信した払出制御コマンドを受信する払出制御コマンド受信手段（例えばＣＰＵ１５３がステップＳ４３及びＳ４６の処理を実行する部分）と、
前記払出制御コマンド受信手段が受信した払出制御コマンドで特定される遊技媒体の個数の総和を示す総景品個数データを記憶する総景品個数データ記憶手段（例えば賞球総数カウンタ２５５）と、
前記払出手段により払い出される遊技媒体の個数に基づく払出動作量データを記憶する払出動作量データ記憶手段（例えば払出動作量カウンタ２５４）と、
前記総景品個数データ記憶手段に記憶されている総景品個数データを前記払出動作量データとして前記払出動作量データ記憶手段に設定する払出動作量データ設定手段（例えばＣＰＵ１５３がステップＳ５５７の処理を実行する部分）と、
前記払出動作量データ設定手段により前記払出動作量データが設定されたときに、前記払出手段を制御して、遊技媒体の払い出し動作を開始させる払出動作開始制御手段（例えばＣＰＵ１５３がステップＳ５５８の処理を実行する部分）と、
前記払出動作検出手段による払い出し動作の検出（例えば払出モータ位置センサ７１がオンした回数）に応じて、前記払出動作量データ記憶手段に記憶されている前記払出動作量データの値を減算する払出動作量データ減算手段（例えばＣＰＵ１５３がステップＳ６０５の処理を実行する部分）と、
前記払出動作量データ減算手段により減算された前記払出動作量データの値が所定の終了値（例えば０）と合致するか否かを判別する払出動作量データ判別手段（例えばＣＰＵ１５３がステップＳ５６５の処理を実行する部分）と、
前記払出動作量データ判別手段により前記払出動作量データの値が前記所定の終了値と合致すると判別されたとき（例えばＣＰＵ１５３がステップＳ５６５の処理にてＹｅｓと判別したとき）に、前記払出手段を制御して、遊技媒体の払い出し動作を停止させる払出動作停止制御手段（例えばＣＰＵ１５３がステップＳ５６６の処理を実行する部分）と、
前記払出停止条件成立検出手段により払出停止条件の成立が検出されたとき（例えばＣＰＵ１５３がステップＳ６２４又はステップＳ６２９の処理にてＹｅｓと判別したとき）に、遊技媒体の払い出し動作を停止させる払出停止条件成立停止制御手段（例えばＣＰＵ１５３がステップＳ５５１又はステップＳ５５２の処理にてＹｅｓと判別して処理を実行する部分）と、
前記払出停止条件成立検出手段により払出停止条件の成立が検出されたときに、払出停止信号（例えば満タン状態信号又は球切状態信号）を前記遊技制御マイクロコンピュータに送信する払出停止信号送信手段（例えばＣＰＵ１５３がステップＳ６７２又はＳ６７５の処理を実行する部分）と、
前記払出動作開始制御手段による払い出し動作の開始から前記払出動作停止制御手段による払い出し動作の停止までの間に前記払出制御コマンド受信手段が払出制御コマンドを受信したこと（例えばＣＰＵ１５３がステップＳ５１４の処理にてＹｅｓと判別したこと）に応じて、該払出制御コマンドを受信したことを示す受信フラグ（例えば払出中受信フラグ）をオンにセットする受信フラグセット手段（例えばＣＰＵ１５３がステップＳ５１６の処理を実行する部分）と、
前記受信フラグセット手段により前記受信フラグがオンにセットされたか否かを判定することにより、前記払出手段による遊技媒体の払い出し動作中に前記払出制御コマンドを受信したか否かを判別する受信判別手段（例えばＣＰＵ１５３がステップＳ５６１の処理を実行する部分）と、
前記受信判別手段により前記払出制御コマンド受信手段が払出制御コマンドを受信したと判別されたとき（例えばＣＰＵ１５３がステップＳ５６１の処理にてＹｅｓと判別したとき）に、該払出制御コマンドで特定される遊技媒体の個数に応じて、前記払出動作量データ記憶手段に記憶されている前記払出動作量データの値を更新する払出動作量データ更新手段（例えばＣＰＵ１５３がステップＳ５６２の処理を実行する部分）と、
を含み、
前記遊技制御マイクロコンピュータは、更に、
前記払出停止信号送信手段から送信される払出停止信号を受信する払出停止信号受信手段（例えばＣＰＵ１１３がステップＳ１０５の処理を実行する部分）と、
前記払出停止信号受信手段が受信した払出停止信号に基づいて、前記演出手段により遊技媒体の払出停止を報知することを指令する演出制御コマンド（例えば満タン報知コマンドＣ０００又は球切報知コマンドＣ００２）を前記制御コマンドとして前記演出制御マイクロコンピュータに送信する演出制御コマンド送信手段（例えばＣＰＵ１１３がステップＳ１１３又はＳ１１９のコマンドセット処理にてステップＳ２３４及びＳ２３９のコマンド送信処理を実行する部分）と、
を含み、
前記演出制御マイクロコンピュータは、
前記演出制御コマンド送信手段が送信した演出制御コマンドを受信する演出制御コマンド受信手段（例えばＣＰＵ１２３がステップＳ８０１又はステップＳ８０５の処理にてＹｅｓと判別する部分）と、
前記演出制御コマンド受信手段が受信した演出制御コマンドに基づいて、前記演出手段を制御して、前記払出手段による遊技媒体の払い出し動作が停止していることを報知する演出を実行させる払出停止報知演出制御手段（例えばＣＰＵ１２３がステップＳ８０２又はＳ８０６の処理を実行する部分）と、を含む、
ことを特徴とする。
【手続補正３】
【補正対象書類名】明細書
【補正対象項目名】００１０
【補正方法】変更
【補正の内容】
【００１０】
請求項２に記載の遊技機においては、
前記払出制御マイクロコンピュータは、
前記払出動作開始制御手段による払い出し動作の開始から前記払出動作停止制御手段による払い出し動作の停止までの間に前記払出制御コマンド受信手段が受信した払出制御コマンドで特定される遊技媒体の個数を示す景品個数データを記憶する払出中景品個数データ記憶手段（例えば払出中受信個数カウンタ２５７）を含み、
前記払出動作量データ更新手段は、前記払出中景品個数データ記憶手段に記憶されている景品個数データの値を、前記払出動作量データ記憶手段に記憶されている前記払出動作量データの値に加算することによって、該払出動作量データの値を更新する（例えばＣＰＵ１５３が実行するステップＳ５６２の処理）。
【手続補正４】
【補正対象書類名】明細書
【補正対象項目名】００１１
【補正方法】変更
【補正の内容】
【００１１】
請求項３に記載の遊技機においては、
前記払出制御マイクロコンピュータは、
前記払出動作開始制御手段による払い出し動作の開始から前記払出動作停止制御手段による払い出し動作の停止までの間に前記払出制御コマンド受信手段が払出制御コマンドを再度受信したときに（例えばＣＰＵ１５３がステップＳ５５６の処理を実行してからステップＳ５７２の処理を実行するまでの間にステップＳ４３及びステップＳ４６の処理を再度実行し、ステップＳ５１２及びステップＳ５１４の処理にてＹｅｓと判別したとき）、該受信した払出制御コマンドで特定される遊技媒体の個数を、前記払出中景品個数データ記憶手段に記憶されている景品個数データの値に加算し、景品個数データの値を更新する払出中景品個数データ更新手段（例えばＣＰＵ１５３がステップＳ５１５の処理を実行する部分）を含む。
【手続補正５】
【補正対象書類名】明細書
【補正対象項目名】００１２
【補正方法】変更
【補正の内容】
【００１２】
請求項４に記載の遊技機においては、
前記受信フラグセット手段は、前記払出停止条件成立停止制御手段による払い出し動作停止中（例えばＣＰＵ１５３がステップＳ５５６の処理を実行した後に、ステップＳ５５１又はステップＳ５５２の処理にてＹｅｓと判別したとき）においても、前記払出制御コマンド受信手段が払出制御コマンドを受信したこと（例えばＣＰＵ１５３がステップＳ５１２及びステップＳ５１４の処理にてＹｅｓと判別したこと）に応じて、該払出制御コマンドを受信したことを示す受信フラグをオンにセットする条件成立受信フラグセット手段（例えばＣＰＵ１５３がステップＳ５１６の処理を実行する部分）を含み、
前記払出中景品個数データ記憶手段は、前記払出停止条件成立停止制御手段による払い出し動作停止中においても、前記払出制御コマンド受信手段が受信した払出制御コマンドで特定される遊技媒体の個数を示す景品個数データを記憶する条件成立払出中景品個数データ記憶手段（例えば払出中受信個数カウンタ２５７）を含み、
前記払出中景品個数データ更新手段は、前記払出停止条件成立停止制御手段による払い出し動作停止中においても、前記払出制御コマンド受信手段が払出制御コマンドを再度受信したときに（例えばＣＰＵ１５３がステップＳ５５６の処理を実行した後にステップＳ５５１又はステップＳ５５２の処理にてＹｅｓと判別したときに、ステップＳ４３及びステップＳ４６の処理を再度実行し、ステップＳ５１２及びステップＳ５１４の処理にてＹｅｓと判別したとき）、該受信した払出制御コマンドで特定される遊技媒体の個数を、前記払出中景品個数データ記憶手段に記憶されている景品個数データの値に加算し、景品個数データの値を更新する条件成立払出中景品個数データ更新手段（例えばＣＰＵ１５３がステップＳ５１５の処理を実行する部分）を含む。
【手続補正６】
【補正対象書類名】明細書
【補正対象項目名】００１３
【補正方法】変更
【補正の内容】
【００１３】
請求項５に記載の遊技機においては、
前記払出制御マイクロコンピュータは、
前記払出動作量データ更新手段により景品個数データの値が前記払出動作量データの値に加算されたときに（例えばＣＰＵ１５３がステップＳ５６２の処理を実行したとき）、前記払出動作量データの値に加算された景品個数データの値を前記払出中景品個数データ記憶手段から減算する景品個数減算手段（例えばＣＰＵ１５３がステップＳ５６３の処理を実行する部分）を含む。
【手続補正７】
【補正対象書類名】明細書
【補正対象項目名】００１４
【補正方法】変更
【補正の内容】
【００１４】
請求項６に記載の遊技機においては、
前記払出制御マイクロコンピュータは、
前記払出動作量データ更新手段により景品個数データの値が前記払出動作量データの値に加算されたときに、前記受信フラグをオフする受信フラグオフ手段（例えばＣＰＵ１５３がステップＳ５６４の処理を実行する部分）を含む。
【手続補正８】
【補正対象書類名】明細書
【補正対象項目名】００１６
【補正方法】変更
【補正の内容】
【００１６】
請求項８に記載の遊技機においては、
前記払出手段は、所定の貸出要求に応じて遊技者に貸し出すための遊技媒体（例えば貸球）を払い出す機能を有し、
前記払出制御マイクロコンピュータは、
前記払出制御コマンド受信手段が受信した払出制御コマンドで特定される遊技媒体の個数を、前記総景品個数データ記憶手段に記憶されている総景品個数データの値に加算することによって、該総景品個数データの値を更新する総景品個数データ更新手段（例えばＣＰＵ１５３がステップＳ５１３の処理を実行する部分）と、
前記払出遊技媒体検出手段による遊技媒体の検出（例えばＣＰＵ１５３がステップＳ６０９の処理にてＹｅｓと判別したこと）に応じて、該検出された遊技媒体が景品として払い出されたものであるか遊技者に貸し出すために払い出されたものであるかを判別する遊技媒体判別手段（例えばＣＰＵ１５３がステップＳ６１０の処理を実行する部分）と、
前記遊技媒体判別手段により遊技媒体が景品として払い出されたものであると判別されたとき（例えばＣＰＵ１５３がステップＳ６１０の処理にてＹｅｓと判別したとき）に、前記総景品個数データ記憶手段に記憶されている総景品個数データの値を減算する総景品個数データ減算手段（例えばＣＰＵ１５３がステップＳ６１１の処理を実行する部分）と、
前記払出動作停止制御手段が遊技媒体の払い出し動作を停止させたことに基づいて（例えばＣＰＵ１５３がステップＳ５６７及びＳ５５９の処理を実行し、ステップＳ５６８の処理にてＹｅｓと判別したとき）、前記総景品個数データ減算手段により減算された総景品個数データの値が前記所定の終了値と合致するか否かを判別する総景品個数データ判別手段（例えばＣＰＵ１５３がステップＳ５６９の処理を実行する部分）と、
前記総景品個数データ判別手段により総景品個数データの値が前記所定の終了値と合致しないと判別されたとき（例えばＣＰＵ１５３がステップＳ５６９の処理にてＮｏと判別したとき）に、該総景品個数データを前記払出動作量データとして前記払出動作量データ記憶手段に設定する払出動作量データ再設定手段（例えばＣＰＵ１５３がステップＳ５７０の処理を実行する部分）と、
を含む。
【手続補正９】
【補正対象書類名】明細書
【補正対象項目名】００２３
【補正方法】変更
【補正の内容】
【００２３】
請求項６に記載の構成によれば、払出制御マイクロコンピュータは、景品個数データの値を払出動作量データの値に加算した後、受信フラグをオフすることによって、遊技媒体の正確な払い出しを実現することができる。
【手続補正１０】
【補正対象書類名】明細書
【補正対象項目名】００２４
【補正方法】変更
【補正の内容】
【００２４】
請求項７に記載の構成によれば、払出制御マイクロコンピュータは、受信した制御コマンドが払出制御コマンドのときのみ、受信フラグをオンすることにより、払出制御コマンドの受信判定処理の実行回数を少なくすることができる。
【手続補正１１】
【補正対象書類名】明細書
【補正対象項目名】００２５
【補正方法】変更
【補正の内容】
【００２５】
請求項８に記載の構成によれば、払出制御マイクロコンピュータは、払出遊技媒体検出手段による遊技媒体の検出に応じて、検出された遊技媒体が景品として払い出されたものであるか遊技者に貸し出すために払い出されたものであるかを判別することができる。これにより、払出手段から景品としての遊技媒体が払い出されるときも、遊技者に貸し出すための遊技媒体が払い出されるときも、共通の払出遊技媒体検出手段を用いることができるので、ハードウェア構成を簡素化することができる。また、払出制御マイクロコンピュータは、払出動作停止制御手段により払出動作が停止したときの総景品個数データの値を所定の終了値と比較し、所定の終了値と合致しない場合には、総景品個数データの値を未だ払い出されていない遊技媒体の個数を示すものとして払出動作量データ記憶手段に設定する。これにより、払出制御マイクロコンピュータは、未払出の遊技媒体を払い出すことができ、払い出される遊技媒体の個数を正確に管理することができる。